(57)【要約】      （修正有）【課題】通常の使用状態における撮像装置の操作性を損なうことなく、他の装置を撮像装置に装着した状態では、より少ない簡易な操作で撮影時のミスの少ない撮影を可能とした撮像装置、撮像装置の制御方法、撮像装置の制御プログラム及び記憶媒体を提供する。【解決手段】撮像装置は、撮像装置操作手段と、撮像装置操作手段の操作状態を検知する第１の検知手段と、ズーム制御手段と、モード状態を検知する第２の検知手段と、を少なくとも具備している。ズーム制御手段は、ワイド側及びテレ側へのズームの自動制御を可能としている。第１の検知手段にて撮像装置操作手段が操作されていないことが検知され、第２の検知手段にて第２モード状態が検知され、ズーム制御手段による最後のズーム調整から所定時間が経過している場合に、ズームはワイド端に自動設定される。【選択図】図３
2007256366.tif 000002
【特許請求の範囲】
【請求項１】
通常の使用状態である第１モード状態又は他の装置が装着された第２モード状態で動作する撮像装置において、
前記撮像装置は、撮像装置操作手段と、該撮像装置操作手段の操作状態を検知する第１の検知手段と、ワイド側及びテレ側へのズームの自動制御をおこなうズーム制御手段と、撮像装置のモード状態を検知する第２の検知手段と、を少なくとも具備しており、前記第１の検知手段にて前記撮像装置操作手段が操作されていないことが検知され、かつ、前記第２の検知手段にて第２モード状態が検知され、かつ、前記ズーム制御手段による最後のズーム調整から所定時間が経過している場合に、ズームがワイド端に自動設定されることを特徴とする撮像装置。
【請求項２】
前記撮像装置は、ワイド側へのズーム調整をおこなうワイド側ボタンとテレ側へのズーム調整をおこなうテレ側ボタンとからなるズーム操作手段と、該ズーム操作手段の操作の有無を検知する第３の検知手段と、をさらに具備しており、
前記撮像装置操作手段は、半押しでＡＦ（オートフォーカス）動作をおこない、かつ、全押しでレリーズ動作をおこなうレリーズボタンであり、前記第１の検知手段にて前記レリーズボタンが操作されていないことが検知され、かつ、前記第３の検知手段にて前記ワイド側ボタンと前記テレ側ボタンのいずれか一方が操作されていることが検知された場合には、選択されたズーム側へのズーム調整がおこなわれ、双方のボタンが操作されていないと検知された場合には、第２の検知手段にてモード状態の検知がおこなわれることを特徴とする請求項１に記載の撮像装置。
【請求項３】
通常の使用状態である第１モード状態又は他の装置が装着された第２モード状態で動作する撮像装置において、
前記撮像装置は、撮像装置操作手段と、ＡＦ（オートフォーカス）モードとＭＦ（マニュアルフォーカス）モードとからなるフォーカスモードの切替えをおこなうフォーカスモード切替え手段と、前記ＭＦモードにおいて至近側端と無限遠側端の間でフォーカスを自動往復させるフォーカス操作手段と、フォーカスモードの状態を検知する第１の検知手段と、撮像装置のモード状態を検知する第２の検知手段と、を少なくとも具備しており、前記第１の検知手段にてＭＦモードが検知され、かつ、前記第２の検知手段にて第２モード状態が検知された場合に、前記フォーカス操作手段を操作し続けることによって合焦位置が仮に確定され、操作を停止してから所定時間が経過することにより合焦位置が確定されることを特徴とする撮像装置。
【請求項４】
前記フォーカス操作手段は、至近側端と無限遠側端の間でフォーカスを自動往復させる往復ボタンと、至近側へのフォーカス調整をおこなう至近側ボタンと、無限遠側へのフォーカス調整をおこなう無限遠側ボタンと、を具備しており、
前記撮像装置操作手段は、ＡＦモードにおいて、半押しでＡＦ（オートフォーカス）動作をおこない、かつ、全押しでレリーズ動作をおこなうレリーズボタンであり、ＭＦモードにおいて、全押しでレリーズ動作をおこなうレリーズボタンであり、
前記第１の検知手段にてＭＦモードが検知され、かつ、前記第２の検知手段にて第１モード状態が検知され、かつ、前記至近側ボタンと前記無限遠側ボタンのいずれか一方が操作されている場合には、選択された方向への合焦位置が仮に確定され、所定時間が経過することで合焦位置が確定されるように構成されており、双方のボタンが操作されていない場合には、レリーズボタンの操作の有無が検知されることを特徴とする請求項３に記載の撮像装置。
【請求項５】
前記第２モード状態における前記他の装置が防水パックであることを特徴とする請求項１〜４のいずれかに記載の撮像装置。
【請求項６】
通常の使用状態である第１モード状態又は他の装置が装着された第２モード状態で動作し、撮像装置操作手段と、ズームをワイド側とテレ側へ自動制御するズーム制御手段と、を少なくとも具備する撮像装置を制御するための撮像装置の制御方法であって、
前記撮像装置操作手段の操作状態を検知する第１の検知ステップと、撮像装置のモード状態を検知する第２の検知ステップと、前記第１の検知ステップにて前記撮像装置操作手段が操作されていないことを検知し、かつ、前記第２の検知ステップにて第２モード状態であることを検知し、かつ、前記ズーム制御手段による最後のズーム調整から所定時間が経過している場合に、ズームがワイド端に自動設定されるステップと、を具備することを特徴とする撮像装置の制御方法。
【請求項７】
通常の使用状態である第１モード状態又は他の装置が装着された第２モード状態で動作し、撮像装置操作手段と、ＡＦ（オートフォーカス）モードとＭＦ（マニュアルフォーカス）モードとからなるフォーカスモードの切替えをおこなうフォーカスモード切替え手段と、前記ＭＦモードにおいて至近側端と無限遠側端の間でフォーカスを自動往復させるフォーカス操作手段と、を少なくとも具備する撮像装置を制御するための撮像装置の制御方法であって、
フォーカスモードの状態を検知する第１の検知ステップと、撮像装置のモード状態を検知する第２の検知ステップと、前記第１の検知ステップにてＭＦモードであることを検知し、かつ、前記第２の検知ステップにて第２モード状態であることを検知し、かつ、前記フォーカス操作手段の継続操作によって合焦位置を仮に確定し、操作の停止から所定時間が経過することで合焦位置を確定するステップと、を具備することを特徴とする撮像装置の制御方法。
【請求項８】
通常の使用状態である第１モード状態又は他の装置が装着された第２モード状態で動作し、撮像装置操作手段と、ズームをワイド側とテレ側へ自動制御するズーム制御手段と、を少なくとも具備する撮像装置を制御するための撮像装置の制御プログラムであって、
前記撮像装置操作手段の操作状態を検知する第１の検知ステップと、撮像装置のモード状態を検知する第２の検知ステップと、前記第１の検知ステップにて前記撮像装置操作手段が操作されていないことを検知し、かつ、前記第２の検知ステップにて第２モード状態であることを検知し、かつ、前記ズーム制御手段による最後のズーム調整から所定時間が経過している場合に、ズームをワイド端に自動設定するステップと、を撮像装置に実行させることを特徴とする撮像装置の制御プログラム。
【請求項９】
通常の使用状態である第１モード状態又は他の装置が装着された第２モード状態で動作し、撮像装置操作手段と、ＡＦ（オートフォーカス）モードとＭＦ（マニュアルフォーカス）モードとからなるフォーカスモードの切替えをおこなうフォーカスモード切替え手段と、前記ＭＦモードにおいて至近側端と無限遠側端の間でフォーカスを自動往復させるフォーカス操作手段と、を少なくとも具備する撮像装置を制御するための撮像装置の制御プログラムであって、
フォーカスモードの状態を検知する第１の検知ステップと、撮像装置のモード状態を検知する第２の検知ステップと、前記第１の検知ステップにてＭＦモードを検知し、かつ、前記第２の検知ステップにて第２モード状態であることを検知し、かつ、前記フォーカス操作手段の継続操作によって合焦位置を仮に確定し、操作の停止から所定時間が経過することで合焦位置を確定するステップと、を撮像装置に実行させることを特徴とする撮像装置の制御プログラム。
【請求項１０】
請求項８または９に記載の撮像装置の制御プログラムをコンピュータ読み取り可能に格納したことを特徴とする記憶媒体。
【発明の詳細な説明】
【技術分野】
【０００１】
本発明は、撮像装置、撮像装置の制御方法、撮像装置の制御プログラム及び記憶媒体に関する。
【背景技術】
【０００２】
近年、コンパクトなデジタルカメラの普及を背景に水中撮影のニーズが増えてきている。ところが、従来の撮像装置においては、水中環境に特化した撮像装置やその操作方法に関してはほとんど考慮されてこなかった。その理由は、水中に特化した操作方法は、陸上における通常使用時の操作性が低下することが多く、使用される頻度から考えても、水中での操作方法に特化したデジタルカメラを開発する利点が少なかったためである。
【０００３】
出願人による鋭意研究の結果、陸上での通常使用時の操作性を十分に確保しつつ、水中環境で使用する場合の操作性も良好な撮像装置とその制御方法に関する技術が、特許文献１に開示されている。
【０００４】
特許文献１に開示の撮像装置とその制御方法は、水中使用時に撮像装置に装着される防水パックの構造上の理由と、水中におけるユーザーの撮像状況を考慮して、通常使用状態と水中使用状態とで撮影までの操作方法を変更可能としている。防水パックの構造上の理由とは、例えば、耐圧のために強力なばねが入っていることであり、ユーザーの撮像状況とは、例えば、水中にて保護用のグローブを装着していることである。
【０００５】
特許文献１に開示の撮像装置の制御方法を、図７の防水パックが装着された撮像装置の構成図と、図８のフローチャートに基づいて説明する。
【０００６】
図７は、従来の撮像装置であるデジタルカメラの構成を示す図であり、同図において、７０１はデジタルカメラ（以下、カメラと記述する。）で、レリーズボタン（撮像装置操作手段）７０２を有している。このレリーズボタン７０２は、通常状態では半押しされることにより、カメラ７０１がＡＦ（オートフォーカス）動作をおこない、全押し（押し込む）することにより、カメラ７０１がレリーズ動作をおこなう。７０３は液晶表示器等からなる画像表示部であり、７０４は防水パックである。
【０００７】
防水パック７０４は、前後方向に分割されるように構成された前、後カバー７０４ａ，７０４ｂを有している。これら前、後カバー７０４ａ，７０４ｂは、一側部に設けられたヒンジ部７０５によって互いに開閉し得るように回動自在に連結されている。まず、前、後カバー７０４ａ，７０４ｂを開いた状態で、カメラ７０１を前、後カバー７０４ａ，７０４ｂ内の所定の位置にセットする。次いで、前、後カバー７０４ａ，７０４ｂを閉じて、ヒンジ部７０５と対向する他側部に設けられたバックル７０６により、前、後カバー７０４ａ，７０４ｂが開かないように固定する。このとき、前、後カバー７０４ａ，７０４ｂの合わせ部の全周に沿って設けられた図示しない防水パッキンが圧縮され、前、後カバー７０４ａ，７０４ｂは気密状態に密着し、防水パック７０４内は完全に密閉、防水状態となる。
【０００８】
防水パック７０４には、その内部に収納されたカメラ７０１を外部から操作するための操作ボタン７０７が設けられており、この操作ボタン７０７は、カメラ７０１のレリーズボタン７０２を操作するためのボタンである。
【０００９】
次に、図７に示す防水パック７０４が装着されたカメラ７０１の動作を、図８に基づいて説明する。図８は、防水パック７０４が装着されたカメラ７０１の動作の流れを示すフローチャートである。
【００１０】
まず、ステップＳ８０１でカメラ７０１に防水パック７０４が装着されているか否かを判定する。
【００１１】
ここで、防水パック７０４の装着を検知するために、カメラ７０１には、不図示の検出スイッチ（モード状態検知手段）が設けられている。防水パック７０４が装着されると、この防水パック７０４に設けられた不図示の突起によって検出スイッチがオン（ＯＮ）されることにより、カメラ７０１が防水パック７０４の装着を検知する。
【００１２】
ステップＳ８０１において防水パック７０４の装着が検知された場合には、後述するステップＳ８０７へ、また、防水パック７０４の装着が検知されない通常状態（第１モード状態）ではステップＳ８０２へ、それぞれ進む。
【００１３】
ステップＳ８０２では、レリーズボタン７０２の半押し動作に連動した第１スイッチ（ＳＷ１）がオン（ＯＮ）されるまで待ち、オンされると、次のステップＳ８０３へ進む。
【００１４】
ステップＳ８０３では、カメラ７０１がＡＦ動作を開始し、次のステップＳ８０４で合焦判定手段により合焦判定がおこなわれる。そして、合焦と判定された場合には、次のステップＳ８０５へ進む。
【００１５】
ステップＳ８０５では、レリーズボタン７０２の全押し（押し込み）動作に連動した第２スイッチ（ＳＷ２）がオン（ＯＮ）されるまで待ち、オンされると、次のステップＳ８０６で露出動作に入り、通常状態（第１モード状態）での撮影が終了する。
【００１６】
一方、前記ステップＳ８０１において、防水パック７０４の装着が検知された場合は、ステップＳ８０７へ進む。
【００１７】
ステップＳ８０７では、レリーズボタン７０２の全押し（押し込み）動作に連動した第２スイッチ（ＳＷ２）がオン（ＯＮ）されるまで待ち、オンされると、次のステップＳ８０８へ進む。
【００１８】
ステップＳ８０８では、カメラ７０１がＡＦ動作を開始し、次のステップＳ８０９で合焦判定手段により合焦判定がおこなわれ、合焦と判定された場合には、次のステップＳ８１０へ進む。
【００１９】
ステップＳ８１０では、レリーズボタン７０２の全押し（押し込み）動作に連動した第２スイッチ（ＳＷ２）がオフ（ＯＦＦ）されるまで待機する。オフされると、前記ステップＳ８０６へ進んで露出動作に入り、防水パック装着状態（第２モード状態）での撮影が終了する。
【特許文献１】特開２００３−９８５８７号
【発明の開示】
【発明が解決しようとする課題】
【００２０】
特許文献１による撮像装置とその制御方法によれば、撮像装置の通常使用時の操作性を損なうことなく、水中での操作性を向上させることができる。しかし、上記の撮像装置やその制御方法では、撮影時にカメラ内部でおこなわれる制御が、依然としてユーザーによる所定のマニュアル操作に依存している。したがって、通常撮影に比してカメラの操作性が困難な水中撮影に関しては、依然として撮像装置の操作性の改善の余地があり、そのさらなる向上が求められていた。
【００２１】
ところで、水中では陸上での通常撮影に比べて光量自体が少ないことが多い。また、深度が深くなるほど太陽光の長波長側の光が届き難くなるため、綺麗な色が出る静止画を撮るにはストロボを使用する必要がある。その際、ストロボの到達距離による制約から、必然的に被写体に近づいてワイドで撮影することとなる。したがって、水中での撮影をおこなう際に最も多く使われるズーム形態はワイド端の状態である。
【００２２】
仮に前回の撮影時にズーム機能を使用した場合でも、撮影を始めるときにズームがワイド端になっていれば操作の手間が省けることになる。
【００２３】
また、デジタルカメラの防水パックの多くは、マニュアルでフォーカスを合わせる際に無限遠側に動くボタンと至近側に動くボタンを使って合焦点を探すことになる。しかしながら、水中撮影時においては保護用のグローブをつけて撮影することが多く、複数のボタンを押しながら画像表示部を確認して合焦を判断するのはかなり難易度の高い作業となる。そのため、１つのボタンを押しつづけるだけでフォーカスが無限遠側と至近側を往復すれば、操作の難易度を下げることができる。
【００２４】
本発明は、通常使用時の操作性を損なうことなく、水中での操作性を向上させることができ、水中での撮影ミスを低減することのできる撮像装置、撮像装置の制御方法、撮像装置の制御プログラム及び記憶媒体を提供することを目的とする。
【課題を解決するための手段】
【００２５】
上記目的を達成するために、請求項１に記載の撮像装置は、通常の使用状態である第１モード状態又は他の装置が装着された第２モード状態で動作する撮像装置において、前記撮像装置は、撮像装置操作手段と、該撮像装置操作手段の操作状態を検知する第１の検知手段と、ワイド側及びテレ側へのズームの自動制御をおこなうズーム制御手段と、撮像装置のモード状態を検知する第２の検知手段と、を少なくとも具備しており、前記第１の検知手段にて前記撮像装置操作手段が操作されていないことが検知され、かつ、前記第２の検知手段にて第２モード状態が検知され、かつ、前記ズーム制御手段による最後のズーム調整から所定時間が経過している場合に、ズームがワイド端に自動設定されることを特徴とする。
【００２６】
また、請求項３に記載の撮像装置は、通常の使用状態である第１モード状態又は他の装置が装着された第２モード状態で動作する撮像装置において、前記撮像装置は、撮像装置操作手段と、ＡＦ（オートフォーカス）モードとＭＦ（マニュアルフォーカス）モードとからなるフォーカスモードの切替えをおこなうフォーカスモード切替え手段と、前記ＭＦモードにおいて至近側端と無限遠側端の間でフォーカスを自動往復させるフォーカス操作手段と、フォーカスモードの状態を検知する第１の検知手段と、撮像装置のモード状態を検知する第２の検知手段と、を少なくとも具備しており、前記第１の検知手段にてＭＦモードが検知され、かつ、前記第２の検知手段にて第２モード状態が検知された場合に、前記フォーカス操作手段を操作し続けることによって合焦位置が仮に確定され、操作を停止してから所定時間が経過することにより合焦位置が確定されることを特徴とする。
【００２７】
また、請求項６に記載の撮像装置の制御方法は、通常の使用状態である第１モード状態又は他の装置が装着された第２モード状態で動作し、撮像装置操作手段と、ズームをワイド側とテレ側へ自動制御するズーム制御手段と、を少なくとも具備する撮像装置を制御するための撮像装置の制御方法であって、前記撮像装置操作手段の操作状態を検知する第１の検知ステップと、撮像装置のモード状態を検知する第２の検知ステップと、前記第１の検知ステップにて前記撮像装置操作手段が操作されていないことを検知し、かつ、前記第２の検知ステップにて第２モード状態であることを検知し、かつ、前記ズーム制御手段による最後のズーム調整から所定時間が経過している場合に、ズームがワイド端に自動設定されるステップと、を具備することを特徴とする。
【００２８】
また、請求項７に記載の撮像装置の制御方法は、通常の使用状態である第１モード状態又は他の装置が装着された第２モード状態で動作し、撮像装置操作手段と、ＡＦ（オートフォーカス）モードとＭＦ（マニュアルフォーカス）モードとからなるフォーカスモードの切替えをおこなうフォーカスモード切替え手段と、前記ＭＦモードにおいて至近側端と無限遠側端の間でフォーカスを自動往復させるフォーカス操作手段と、を少なくとも具備する撮像装置を制御するための撮像装置の制御方法であって、フォーカスモードの状態を検知する第１の検知ステップと、撮像装置のモード状態を検知する第２の検知ステップと、前記第１の検知ステップにてＭＦモードであることを検知し、かつ、前記第２の検知ステップにて第２モード状態であることを検知し、かつ、前記フォーカス操作手段の継続操作によって合焦位置を仮に確定し、操作の停止から所定時間が経過することで合焦位置を確定するステップと、を具備することを特徴とする。
【００２９】
また、請求項８に記載の撮像装置の制御プログラムは、通常の使用状態である第１モード状態又は他の装置が装着された第２モード状態で動作し、撮像装置操作手段と、ズームをワイド側とテレ側へ自動制御するズーム制御手段と、を少なくとも具備する撮像装置を制御するための撮像装置の制御プログラムであって、前記撮像装置操作手段の操作状態を検知する第１の検知ステップと、撮像装置のモード状態を検知する第２の検知ステップと、前記第１の検知ステップにて前記撮像装置操作手段が操作されていないことを検知し、かつ、前記第２の検知ステップにて第２モード状態であることを検知し、かつ、前記ズーム制御手段による最後のズーム調整から所定時間が経過している場合に、ズームをワイド端に自動設定するステップと、を撮像装置に実行させることを特徴とする。
【００３０】
また、請求項９に記載の撮像装置の制御プログラムは、通常の使用状態である第１モード状態又は他の装置が装着された第２モード状態で動作し、撮像装置操作手段と、ＡＦ（オートフォーカス）モードとＭＦ（マニュアルフォーカス）モードとからなるフォーカスモードの切替えをおこなうフォーカスモード切替え手段と、前記ＭＦモードにおいて至近側端と無限遠側端の間でフォーカスを自動往復させるフォーカス操作手段と、を少なくとも具備する撮像装置を制御するための撮像装置の制御プログラムであって、フォーカスモードの状態を検知する第１の検知ステップと、撮像装置のモード状態を検知する第２の検知ステップと、前記第１の検知ステップにてＭＦモードを検知し、かつ、前記第２の検知ステップにて第２モード状態であることを検知し、かつ、前記フォーカス操作手段の継続操作によって合焦位置を仮に確定し、操作の停止から所定時間が経過することで合焦位置を確定するステップと、を撮像装置に実行させることを特徴とする。
【００３１】
また、請求項１０に記載の記憶媒体は、請求項８または９に記載の撮像装置の制御プログラムをコンピュータ読み取り可能に格納したことを特徴とする。
【発明の効果】
【００３２】
本発明によれば、通常の使用状態である第１モード状態における撮像装置の操作性を損なうことなく、他の装置を撮像装置に装着した第２モード状態では、可及的に少ない簡易な操作で、撮影時のミスの少ない撮影を実現することができる。
【発明を実施するための最良の形態】
【００３３】
以下、図面を参照して本発明の実施の形態を説明する。
【００３４】
（第１の実施の形態）
まず、本発明の第１の実施の形態を図１〜図３を用いて説明する。
【００３５】
図１は、本実施の形態にかかる撮像装置であるデジタルカメラの構成を示している。同図において、１０１はデジタルカメラ（以下、カメラと記述する。）であり、ズームボタン１０２とレリーズボタン１０３とを有している。ズームボタン１０２は、カメラ１０１の光学ズーム操作をするための２つのボタンに分けられ、ワイド側に動くワイド側ボタン１０２ａとテレ側に動くテレ側ボタン１０２ｂとから構成される。レリーズボタン１０３は半押しすることでＡＦ（オートフォーカス）動作をおこない、全押しすることでカメラ１０１がレリーズ動作をすることによって撮影がおこなわれる。１０４は液晶表示器等からなる画像表示部である。カメラ１０１は、各種ボタンの入力を受け付けて、その信号に対応した処理を実行するＣＰＵ（不図示）、ワーキングエリアとして使用されるＲＡＭ（不図示）及び制御プログラムを格納するＲＯＭ（不図示）等を備えている。
【００３６】
図２は本実施の形態にかかるカメラ１０１の防水パック装着状態を示す図である。同図において、１０１はカメラ、１０２はズーム操作ボタン、１０３はレリーズボタン、１０４は画像表示部、１０５は防水パックである。
【００３７】
防水パック１０５は、前後方向に分割されるように構成された前、後カバー１０５ａ，１０５ｂを有している。これら前、後カバー１０５ａ，１０５ｂは、一側部に設けられたヒンジ部１０６によって互いに開閉し得るように回動自在に連結されている。まず、前、後カバー１０５ａ，１０５ｂを開いた状態で、カメラ１０１を前、後カバー１０５ａ，１０５ｂ内の所定の位置にセットする。次いで、前、後カバー１０５ａ，１０５ｂを閉じて、ヒンジ部１０６と対向する他側部に設けられたバックル１０７により、前、後カバー１０５ａ，１０５ｂが開かないように固定する。このとき、前、後カバー１０５ａ，１０５ｂの合わせ部の全周に沿って設けられた図示しない防水パッキンが圧縮され、前、後カバー１０５ａ，１０５ｂは気密状態に密着し、防水パック１０５内は完全に密閉、防水状態となる。
【００３８】
防水パック１０５には、その内部に収納されたカメラ１０１を外部から操作するためのボタンが設けられている。ズーム操作ボタン１０８は、カメラ１０１のワイド側ボタン１０２ａを押すためのボタンあり、ズーム操作ボタン１０９は、カメラ１０１のテレ側ボタン１０２ｂを押すためのボタンである。また、レリーズ操作ボタン１１０は、カメラ１０１のレリーズボタン１０３を押すためのボタンである。
【００３９】
次に、図２に示すように防水パック１０５が装着されたカメラ１０１の動作を、図３を用いて説明する。
【００４０】
図３は、防水パック１０５が装着されたカメラ１０１の動作の流れを示すフローチャートであり、カメラ１０１の制御方法を示している。この制御は主として、カメラ１０１に含まれているＲＯＭ（不図示）に格納された制御プログラムに基づいて、カメラ１０１に含まれているＣＰＵ（不図示）が実行する。
【００４１】
まず、ステップＳ３０１でレリーズボタン１０３の半押し動作に連動したＳＷ１が押されているか否かを検知する。ここで、ＳＷ１が押されている場合は後述するステップＳ３０２に進む。
【００４２】
一方、ＳＷ１が押されていなかない場合は、次のステップＳ３０６にてワイド側ボタン１０２ａが押されているか否かを検知する。ワイド側ボタン１０２ａが押されている場合はステップＳ３０９に、押されていなない場合は後述するステップＳ３０７にそれぞれ進む。
【００４３】
ステップＳ３０９ではズームを制御単位分ワイド側に移動し、ステップＳ３１０で一定時間待った後、再びステップＳ３０６に戻ってワイド側ボタン１０２ａの押下の検知をおこなう。
【００４４】
ステップＳ３０７ではテレ側ボタン１０２ｂが押されているか否かを検知し、テレ側ボタン１０２ｂが押されている場合はステップＳ３１１に、押されていなない場合は後述するステップＳ３０８にそれぞれ進む。
【００４５】
ステップＳ３１１ではズームを制御単位分テレ側に移動し、ステップＳ３１２で一定時間待った後、再びステップＳ３０７に戻ってテレ側ボタン１０２ｂの押下の検知をおこなう。
【００４６】
ステップＳ３０８ではカメラ１０１に防水パック１０５が装着されているか否かを判定する。
【００４７】
ここで、防水パック１０５の装着を検知するために、カメラ１０１には防水パック１０５の装着を検知するための図示しない検出スイッチが設けられている。防水パック１０５が装着されると、この防水パック１０５に設けられた図示しない突起によって、検出スイッチがオン（ＯＮ）されることにより、カメラ１０１が防水パック１０５の装着を検知する。
【００４８】
このステップＳ３０８において、防水パック１０５の装着が検知されなかった場合にはステップＳ３０１へ、防水パック１０５の装着が検知された場合にはステップＳ３１３へそれぞれ進む。
【００４９】
ステップＳ３１３では、最後におこなわれたボタン類の操作から例えば１分以上経過しているか否かを判定する。もし１分未満であればステップＳ３０１へ、１分以上経っていればステップＳ３１４へ進む。
【００５０】
ステップＳ３１４ではズームをワイド端に設定し直し、ステップＳ３０１へ進む。
【００５１】
一方、ステップＳ３０２においてカメラ１０１はＡＦ動作を開始し、次のステップＳ３０３で合焦判定がおこなわれる。そして、合焦と判定された場合には次のステップＳ３０４へ進む。
【００５２】
ステップＳ３０４では、レリーズボタン１０３の全押し動作に連動した第２のスイッチＳＷ２がオンされるまで待ち、オンしたらステップＳ３０５に進んで露出状態に入り撮影が終了する。
【００５３】
以上のように、本実施の形態に係るカメラ１０１によれば、水中撮影時において、撮影が終わった後、もしくは撮影を中止した後、１分程度の短時間でズームがワイド端に自動設定される。したがって、次に撮影をおこなおうとした際に、水中撮影に最も使い勝手がよく、多用されるワイド端の状態から画角決定をおこなうことが可能となり、水中撮影時のミスを大幅に低減することができる。なお、通常使用時における良好な操作性が確保されていることは勿論のことである。
【００５４】
（第２の実施の形態）
次に、本発明の第２の実施の形態を図４〜図６を用いて説明する。
【００５５】
図４は、本実施の形態にかかる撮像装置であるデジタルカメラの構成を示している。同図において４０１はデジタルカメラ（以下、カメラと記述する。）であり、ズームボタン４０２と、レリーズボタン４０３と、フォーカスモード切替えボタン４０５と、フォーカス送りボタン４０６とを有している。レリーズボタン４０３は半押しすることでＡＦ（オートフォーカス）動作をおこない、全押しすることでカメラ４０１がレリーズ動作をして撮影をおこなう。４０４は液晶表示器等からなる画像表示部である。フォーカスモード切替えボタン４０５は、押すごとにフォーカスのモードがＡＦ（オートフォーカス）とＭＦ（マニュアルフォーカス）とに切替わる。フォーカス送りボタン４０６は、至近側ボタン４０６ａと、無限遠側ボタン４０６ｃと、フォーカス往復ボタン４０６ｂとから構成される。至近ボタン４０６ａは、通常撮影時に至近側にフォーカスを動かすボタンであり、無限遠側ボタン４０６ｃは、通常撮影時に無限遠側にフォーカスを動かすボタンである。また、フォーカス往復ボタン４０６ｂは、防水ケースを検知した場合にフォーカスを無限遠端と至近端との間で往復させるボタンである。
【００５６】
図５は、本実施の形態にかかるカメラ４０１の防水パック装着状態を示す図である。同図において、４０１はカメラ、４０２はズームボタン、４０３はレリーズボタン、４０４は画像表示部、４０５はフォーカスモード切替えボタン、４０６はフォーカス送りボタン、４０７は防水パックである。
【００５７】
防水パック４０７は、前後方向に分割されるように構成された前、後カバー４０７ａ，４０７ｂを有している。これら前後カバー４０７ａ，４０７ｂは、一側部に設けられたヒンジ部４０８によって互いに開閉し得るように回動自在に連結されている。前、後カバー４０７ａ，４０７ｂを開いた状態で、カメラ４０１を前、後カバー４０７ａ，４０７ｂ内の所定の位置にセットした後、前、後カバー４０７ａ，４０７ｂを閉じて、ヒンジ部４０８と対向する他側部に設けられたバックル４０９により、前、後カバー４０７ａ，４０７ｂが開かないように固定する。このとき、前、後カバー４０７ａ，４０７ｂの合わせ部の全周に沿って設けられた図示しない防水パッキンが圧縮され、前、後カバー４０７ａ，４０７ｂは気密状態に密着し、防水パック４０７内は完全に密閉、防水状態となる。
【００５８】
防水パック４０７には、その内部に収納されたカメラ４０１を外部から操作するためのボタンが設けられている。フォーカスモード切替え操作ボタン４１１は、カメラ４０１のフォーカスモード切替えボタン４０５を押すためのボタンあり、フォーカス送り操作ボタン４１２は、カメラ４０１のフォーカス送りボタン４０６を押すためのボタンである。また、レリーズ操作ボタン４１０は、カメラ４０１のレリーズボタン４０３を押すためのボタンである。
【００５９】
図６は、防水パック４０７が装着されたカメラ４０１の動作の流れを示すフローチャートであり、カメラ４０１の制御方法を示している。この制御は主として、カメラ１０１に含まれているＲＯＭ（不図示）に格納された制御プログラムに基づいて、カメラ１０１に含まれているＣＰＵ（不図示）が実行する。
【００６０】
まず、ステップＳ６０１でフォーカスのモードがＡＦ（オートフォーカス）かＭＦ（マニュアルフォーカス）かを判断し、フォーカスのモードがＡＦであればステップＳ６０２へ進み、フォーカスのモードがＭＦであれば後述するステップＳ６０９へ進む。
【００６１】
ステップＳ６０２ではレリーズボタン４０３の半押し動作に連動したＳＷ１が押されているか否かを検知する。ＳＷ１が押されている場合は、後述のステップＳ６０３へ、ＳＷ１が押されていないと検知した場合はステップＳ６０７へそれぞれ進む。
【００６２】
ステップＳ６０７ではフォーカスモード切替えボタン４０５が押されているか否かを検知し、フォーカスモード切替えボタン４０５が押されていればステップＳ６０８でフォーカスのモードをトグルした後にステップＳ６０１に戻る。フォーカスモード切替えボタン４０５が押されていなければそのままステップＳ６０１に戻る。
【００６３】
一方、ステップＳ６０３においてカメラ４０１はＡＦ動作を開始し、次のステップＳ６０４で合焦判定がおこなわれる。そして、合焦と判定された場合には次のステップＳ６０５へ進む。ステップＳ６０５ではレリーズボタン４０３の全押し動作に連動したＳＷ２が押されるまで待ち、押されたところでステップＳ６０６へ進んで露出状態に入り、撮影が終了する。
【００６４】
初めのステップＳ６０１からステップＳ６０９へ進んだ場合は、カメラ４０１に防水パック４０７が装着されているか否かを検知する。ここで、防水パック４０７の装着を検知するために、カメラ４０１には防水パック４０７の装着を検知するための図示しない検出スイッチが設けられており、防水パック４０７が装着されると、この防水パック４０７に設けられた図示しない突起によって、前記検出スイッチがオン（ＯＮ）されることにより、カメラ４０１が防水パック４０７の装着を検知する。
【００６５】
ステップＳ６０９で防水パック無しと検知した場合にはステップＳ６１０へ、防水パック有りと検知した場合には後述するステップＳ６１７へそれぞれ進む。
【００６６】
ステップＳ６１０ではフォーカスを至近側に送る至近側ボタン４０６ａが押されているか否かを検知し、至近側ボタン４０６ａが押されていなければステップＳ６１３へ進む。一方、至近側ボタン４０６ａが押されていればステップＳ６１１でフォーカスを至近側に制御単位分移動させ、次のステップＳ６１２で一定時間待った後に再びステップＳ６１０に戻る。
【００６７】
ステップＳ６１３ではフォーカスを無限遠側に送る無限遠側ボタン４０６ｃが押されているか否かを検知し、無限遠側ボタン４０６ｃが押されていなければステップＳ６１６へ進む。一方、無限遠側ボタン４０６ｃが押されていればステップＳ６１４でフォーカスを無限遠側に制御単位分移動させ、次のステップＳ６１５で一定時間待った後に再びステップＳ６１３に戻る。
【００６８】
ステップＳ６１６では、レリーズボタン４０３の半押し動作に連動したＳＷ１が押されているかどうかを検知し、ＳＷ１が押されていれば上記のステップＳ６０５に進み、ＳＷ１が押されていなければ上記のステップＳ６０７に進む。
【００６９】
一方、ステップＳ６０９で防水パック有りと判断し、ステップＳ６１７へ進んだ場合は、防水パック使用時にフォーカスを送るのに使用するフォーカス往復ボタン４０６ｂが押されているか否かを検知する。フォーカス往復ボタン４０６ｂが押されていない場合には上記のステップＳ６１６へ進み、フォーカス往復ボタン４０６ｂが押されていた場合にはステップＳ６１８へそれぞれ進む。
【００７０】
ステップＳ６１８ではフォーカスの移動方向に制御単位分移動し、次のステップＳ６１９でフォーカスが移動可能範囲の端に位置するか否かを検知する。フォーカスが移動可能範囲の端に位置すれば次のステップＳ６２０でフォーカスの移動方向をトグルしてステップＳ６２１へ進み、フォーカスが移動可能範囲の端に位置しない場合にはそのままステップＳ６２１へ進む。
【００７１】
ステップＳ６２１では、一定時間待った後に上記のステップＳ６１７へ進む。
【００７２】
以上のように、本実施の形態に係るカメラ４０１によれば、マニュアルモードにおいて、１つのボタン（４０６ｂ）を押し続けるだけでフォーカスが無限端と至近端とを自動往復するため、水中撮影時のマニュアルフォーカス操作の簡素化を図ることができる。
【００７３】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【００７４】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７５】
この場合、記憶媒体から読み出されたプログラムコード自体が前述した各実施の形態の機能を実現することになり、そのプログラムコード及び該プログラムコードを記憶した記憶媒体は本発明を構成することになる。
【００７６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７７】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００７９】
【図１】本発明の第１の実施の形態に係る撮像装置であるデジタルカメラの構成を示す図である。
【図２】本発明の第１の実施の形態に係るデジタルカメラの防水パック装着状態を示す図である。
【図３】本発明の第１の実施の形態に係るデジタルカメラの撮影動作の流れを示すフローチャートである。
【図４】本発明の第２の実施の形態に係る撮像装置であるデジタルカメラの構成を示す図である。
【図５】本発明の第２の実施の形態に係るデジタルカメラの防水パック装着状態を示す図である。
【図６】本発明の第２の実施の形態に係るデジタルカメラの撮影動作の流れを示すフローチャートである。
【図７】従来の撮像装置であるデジタルカメラの防水パック装着状態を示す図である。
【図８】従来の撮像装置であるデジタルカメラの撮影動作の流れを示すフローチャートである。
【符号の説明】
【００８０】
１０１    デジタルカメラ（撮像装置）
１０２    ズームボタン
１０３    レリーズボタン
１０４    画像表示部
１０５    防水パック
１０６    ヒンジ部
１０７    バックル
１０８    ズーム操作ボタン
１０９    ズーム操作ボタン
１１０    レリーズ操作ボタン
４０１    デジタルカメラ（撮像装置）
４０２    ズームボタン
４０３    レリーズボタン
４０４    画像表示部
４０５    フォーカスモード切替えボタン
４０６    フォーカス送りボタン
４０７    防水パック
４０８    ヒンジ部
４０９    バックル
４１０    レリーズ操作ボタン
４１１    フォーカスモード切替え操作ボタン
４１２    フォーカス送り操作ボタン
【図１】
2007256366.tif 000003
【図２】
2007256366.tif 000004
【図３】
2007256366.tif 000005
【図４】
2007256366.tif 000006
【図５】
2007256366.tif 000007
【図６】
2007256366.tif 000008
【図７】
2007256366.tif 000009
【図８】
2007256366.tif 000010